(57)【特許請求の範囲】
【請求項１】
測定手段と記憶手段と受取手段と分析手段と判断手段と検出器とを有する装置により実行される、受信した放送データから放送Ａ／Ｖ番組を識別するデータを取り出す方法であって、
前記測定手段が、複数のチャンネルの各チャンネルについて、信号障害により生じる送信信号品質を測定するステップと、
前記記憶手段が、前記複数のチャンネルの各チャンネルについて、前記測定され送信信号品質の情報を記憶するステップと、
前記受取手段が、第１の番組を画定するユーザ入力を受け取るステップと、
前記分析手段が、前記第１の番組により電子番組スケジュールを分析するステップと、
前記判断手段が、前記第１の番組が将来放送される予定であると判断するステップと、
前記判断手段が、少なくとも前記第１の番組の番組名と放送チャンネルと、前記第１の番組の前記放送チャンネルの前記記憶された送信信号品質とを判断するステップと、
前記判断手段が、前記第１の番組の放送開始時刻及び終了時刻を判断するステップ、または前記第１の番組の放送時間を判断するステップと、
前記検出器が、第２の番組が将来放送される予定であると検出するステップであって、前記第２の番組は前記第１の番組に対応し、前記第１の番組と同じコンテンツを有するが、放送開始時刻、終了時刻、または時間的長さが異なり、放送チャンネルが異なり、前記第２の番組の放送チャンネルの前記記憶された送信信号品質は前記第１の番組の放送チャンネルの前記記憶された送信信号品質より高い、ステップと、
少なくとも第１の番組の番組名、放送チャンネル、開始時刻、終了時刻、または時間的長さと、前記第２の番組が検出されたことを示す情報とを表示するステップと、
前記検出器が、所定の基準により、前記決定された放送チャンネルまたは時間的長さに関して、メニューに表示された番組のどれが有利な点または不利な点を有するかを検出するステップであって、前記所定の基準はより高い送信信号品質及び／またはより短い時間的長さを含む、ステップと、
有利な点を有する前記検出された番組を好ましいとしてディスプレイに表示し、または不利な点を有する前記検出された番組を好ましくないとして前記ディスプレイに表示するステップであって、好ましい番組の基準は前記記憶された送信品質情報による前記チャンネルの受信品質がより良いことである、ステップと、を含む方法。
【請求項２】
前記表示するステップにおいて、少なくとも前記第１の番組と異なる前記第２の番組のデータが追加的に表示される、請求項１に記載の方法。
【請求項３】
前記第１の番組または前記第２の番組を選択する第２のユーザ入力を受け取るステップと、
前記選択された第１の番組または第２の番組に対応するデータを選択し、前記選択されたデータをさらに処理するステップと、を含む、請求項１または２に記載の方法。
【請求項４】
前記選択されたデータに応じて前記第１の番組または前記第２の番組のチャンネルにチューナを設定するステップをさらに有する、請求項３に記載の方法。
【請求項５】
少なくとも前記選択された番組の放送開始時刻、終了時刻または時間的長さ、及びチャンネルをタイマーに格納するステップと、
録画のため前記タイマーを設定または起動するステップと、をさらに含む、請求項３に記載の方法。
【請求項６】
番組変更を検出するため前記電子番組スケジュールをチェックする、前記予定された記録開始時刻に対する時間を画定するステップをさらに含む、請求項５に記載の方法。
【請求項７】
前記検出するステップは、シリーズものの異なるエピソードを識別する追加情報の検出を含む、請求項１ないし６いずれか一項に記載の方法。
【請求項８】
前記電子番組スケジュールを分析するステップは、前記電子番組スケジュールが提供する時間範囲とは異なる所定の時間範囲に限定されていることを特徴とする、請求項１ないし７いずれか一項に記載の方法。
【請求項９】
受信した放送データから放送Ａ／Ｖ番組を識別するデータを取り出す装置であって、
複数のチャンネルの各チャンネルについて、信号障害により生じる送信信号品質を測定する測定手段と、
前記複数のチャンネルの各チャンネルについて、前記測定され送信信号品質の情報を記憶する記憶手段と、
第１の番組を画定するユーザ入力を受け取る受取手段と、
前記第１の番組により電子番組スケジュールを分析する分析手段と、
前記第１の番組が将来放送される予定であると判断する判断手段と、
少なくとも前記第１の番組の番組名と放送チャンネルと、前記第１の番組の前記放送チャンネルの前記記憶された送信信号品質とを判断する判断手段と、
前記第１の番組の放送開始時刻及び終了時刻を判断する、または前記第１の番組の放送される時間的長さを判断する判断手段と、
第２の番組が将来放送される予定であると検出する検出手段であって、前記第２の番組は前記第１の番組対応し、前記第１の番組と同じコンテンツを有するが、放送開始時刻、終了時刻、または時間的長さが異なり、放送チャンネルが異なり、前記第２の番組の放送チャンネルの前記記憶された送信信号品質は前記第１の番組の放送チャンネルの前記記憶された送信信号品質より高い、検出手段と、
少なくとも第１の番組の番組名、放送チャンネル、開始時刻、終了時刻、または時間的長さと、前記第２の番組が検出されたことを示す情報とを表示する表示手段と、
所定の基準により、前記決定された放送チャンネルまたは時間的長さに関して、メニューに表示された番組のどれが有利な点または不利な点を有するかを検出する検出手段であって、前記所定の基準はより高い送信信号品質及び／またはより短い時間的長さを含む、検出手段と、
有利な点を有する前記検出された番組を好ましいとしてディスプレイに表示し、または不利な点を有する前記検出された番組を好ましくないとして前記ディスプレイに表示する表示手段であって、好ましい番組の基準は前記記憶された送信品質情報による前記チャンネルの受信品質がより良いことである、表示手段と、を有する装置。
【発明の詳細な説明】
【技術分野】
【０００１】
本発明は、放送されたオーディオ・ビデオ（Ａ／Ｖ）番組に関するデータを自動的に取り出す方法と装置に関し、特に、そのような番組を識別するデータに関する。
【背景技術】
【０００２】
放送番組プロバイダは、通常、少なくとも番組のタイトルと放送開始時刻を含む番組スケジュールをブロードキャストする。また、例えば、電子番組ガイドサービス（ＥＰＧ）など、幾つかのプロバイダからの番組を含むスケジュールが知られている。さらに、ビデオカセットレコーダ（ＶＣＲ）、ＤＶＤレコーダ、ハードディスクドライブ（ＨＤＤ）レコーダ、またはこれらの組み合わせなど、多数のＡ／Ｖ装置は、録画の予約ができる。すなわち、録画開始時刻を指定することができる。
【０００３】
今日のビデオ及び／またはＤＶＤ記録機器では、総合的な電子番組ガイド（ＥＰＧ）からタイマー用の番組（programming）データを取り出すのが普通である。このような機能を提供する装置には、例えば、トムソンＶＰＨ７０９０／８０９０／ＤＴＨ８０００等がある。一般的に、番組（programming）データは、指定された基準に従ってテレテキストサービスまたは特殊なＥＰＧページから取り出される。
【０００４】
経験によれば、短期間のうちに同一の番組が２回以上放送されることが非常に多い。例えば、夜放送された番組が深夜や２、３日後に再放送されることがある。再放送は同一チャンネルで放送されることが多いが、別のチャンネルが同一の番組を短期間のうちに、または時には同時に送信することもしばしばある。さらに、このような場合、コマーシャルによる中断の長さが異なるので、番組の長さが異なることもある。一般的に、これらの場合は同一番組の異なる事例（instance）と考えられ、コンテントとは直接関係のないコマーシャル、バナー、その他のデータなどで異なるだけである。しかし、これらは、番組のコンテントが異なる、シリーズもの（例えばソープオペラ）の異なるエピソードとは区別しなければならない。
【発明の開示】
【発明が解決しようとする課題】
【０００５】
本願発明者が認識したところによると、同一の番組が短期間に２回以上放送されるので、そのような番組を選択または録画する際、テレビの視聴者やＡ／Ｖレコーダのユーザにとってはより便利であり、柔軟性を享受することができる。
【０００６】
今日、ユーザは、ある放送番組が別のチャンネルで同時に、または時間をずらして放送されるかどうか、あるいは他のチャンネルで、後で再放送されるかどうかを手動的（manually）にしか知ることができない。ユーザは、ＥＰＧ、異なるチャンネルのテレテキストページ、または新聞により手動的に検索しなければならないが、これは面倒である。
【０００７】
本発明は、ユーザが選択した番組のどれを同調または録画するかについて選択の余地があり、ＥＰＧ分析を用いて、或る番組が再放送されるか、または他のチャンネルや別の時間に追加的に放送されるかを検知することができることに基づいている。この情報を用いて、便利な表示を生成し、タイマーを制御し、録画を予約することができる。
【課題を解決するための手段】
【０００８】
本発明によれば、受信した放送データから放送Ａ／Ｖ番組を識別するデータを自動的に取り出す方法は、第１の番組を示すユーザ入力データ（例えば、番組識別子）を受け取るステップと、第１の番組により放送データとして受け取った電子番組スケジュール（例えば、ＥＰＧ）を分析するステップと、少なくとも第１の番組の番組名、放送開始時刻、終了時刻、長さ、または放送チャンネルを判断するステップと、第１の番組に対応する（例えば、第１の番組と同じ番組識別子またはタイトルとを有するが、放送開始時刻、終了時刻、長さ、または放送チャンネルが異なる）第２の番組が放送される予定であるか自動的に検出するステップと、少なくとも第１の番組の番組名、放送チャンネル、開始時刻、終了時刻、または長さと、及び第２の番組が検出されたことを示す表示とをディスプレイに表示するステップと、を含む。
【０００９】
一実施形態では、少なくとも第１の番組と異なる第２の番組のデータ（例えば、別のチャンネルや長さ）が追加的に表示される。
【００１０】
本発明の一実施形態では、本方法はさらに以下のステップを有する：第１の番組または第２の番組を選択する第２のユーザ入力を受け取るステップと、さらに処理するため選択された第１の番組または第２の番組に対応するデータを選択するステップ。
【００１１】
この実施形態は、選択されたデータにより第１の番組または第２の番組のチャンネルにチューナを設定するステップをさらに含でもよい。このように、例えば、視聴するためにユーザに選択したい番組の別の放送時刻やチャンネルをそのユーザに自動的に提供するＥＰＧを構成することができる。
【００１２】
第１のステップで受け取ったユーザ入力データは、例えば、ＥＰＧにおけるエントリー選択であっても、ショービュー（Showview）番号等であってもよい。番組識別子は、英数字のシーケンス、番組名、識別番号等である。
【００１３】
利用可能な番組スケジュールをすべて検索して、第１の番組のさらに別の放送（further  instances）が見つりメニューに表示されるまで、電子番組スケジュールを分析するステップを繰り返すこともできる。
【００１４】
第２の番組をメニューに表示するステップは、少なくとも第１の番組と異なる第２の番組のデータのメニューへの表示を含む。ディスプレイ中の外観から異なる代替番組があることをユーザが認識できるようにディスプレイが表示される。
【００１５】
さらに、上記のさらなる処理は、タイマーで選択した番組の少なくとも放送開始時刻、終了時刻または長さ、及びチャンネルと、もしくは録画のためにタイマーを設定または駆動するステップと、をさらに含む。
【００１６】
一実施形態では、本発明による方法はさらに以下のステップを有する：所定の基準により代替番組のどれが有利であるか自動的に検出するステップと、有利な点を有する検出された番組を好ましいとしてディスプレイに表示するステップ。代替的に、または追加的に、所定の基準によりどの代替番組が不利であるかを自動的に検出して、この番組を好ましくないとしてマークすることも可能である。このような有利性は、例えば、チャンネルの受信品質がよいことである。有利な他の点は、番組の長さが短いことである。不利な点は、例えば、何らかの理由で或るチャンネルが好ましくないことである。番組を好ましいまたは好ましくないとしてマークするために、これらの基準を組み合わせて、ユーザにとってもっともよい妥協点（例えば、受信品質は低いが許容できる範囲であり、広告による中断が少ない）を選択することができる。２つ以上の番組を好ましいまたは好ましくないとしてディスプレイ中でマークすることもできる。
【００１７】
一実施形態では、本発明による方法は、番組変更を検出するために電子番組スケジュールをチェックする時間を決定する追加的ステップを有する。好ましくは、この時間の決定（defining  of  a  time）は、ユーザ入力データを予備タイマーに格納する時、またはその直後に行われる。決定される時間は、短期の番組変更も検出するように、プログラムされた録画が開始する少し前（例えば、１時間ないし２時間）である。録画するはずだった番組がキャンセルされる短期の番組変更に応答して、所望の番組が放送される別の時間及び／またはチャンネルを自動的に検出して、タイマーの設定値を然るべく適応させる。
【００１８】
上記の有利な点や不利な点は、電子番組スケジュールを分析して検出するが、事前にプログラムされたパラメータがあってもよい。例えば、番組は電子番組スケジュールにリストされているが、受信した放送チャンネルの品質が許容できない程悪いものであったとユーザまたは分析ツールが決定してもよい。そこで、このチャンネルは好ましくないとマークしてもよいし、選択肢から除外してもよい。チャンネルは、一般的には、周波数帯域、無線またはケーブルチャンネル、もしくはインターネットアドレス等の受信リンクとして理解すべきである。
【００１９】
例として、第１のチャンネルではサブタイトル付きで、または異なる言語の２つのオーディオトラック付きで番組が放送され、第２のチャンネルではこれら無しで番組放送されることが検出されることもある。選択はユーザがプログラムした好みに基づく。例えば、ユーザが常にサブタイトル付きのバージョンを好む場合、そのようにより好まれるバージョンを検索して、見つけると好ましいまたは選択されたものとして自動的にマークされる。
【００２０】
予備タイマーを設定するためにユーザ入力データを使用する場合、ユーザが入力した放送開始時刻、終了時刻、及び／またはチャンネルのタイマー値を、選択した好ましい番組の対応する値で自動的に置き換えることができる。
【００２１】
第１の番組に対応する第２の番組が放送される予定であることを自動的に検出するステップでは、例えば、シリーズものの異なるエピソードを区別するため、主要な番組名だけでなく、サブタイトル、エピソード番号等を識別する追加情報も検出することが有利である。よって、本発明の一実施形態では、シリーズものの異なるエピソードを識別する追加情報を検出して、異なるエピソードを区別する。例えば、視聴するために現在放送されているシリーズのエピソード第２３をＥＰＧで選択し、一方、他のチャンネルではエピソード第２４も放送されている場合、追加情報を検出するので、結果としてこれらのエピソードは同じ代替放送であるとしては表示されない。
【００２２】
本発明の有利な実施形態は、従属項、以下の詳細な説明、及び図面に開示した。
【００２３】
添付した図面を参照して、本発明の実施形態例を説明する。
【発明を実施するための最良の形態】
【００２４】
図１は、タイマーを自動設定する装置例の構成を示す図である。この装置は、例えばＤＶＤまたはＨＤＤ記録装置内で実施することができる。番組スケジュールデータは、受信部ＲＸで受信したＡ／Ｖデータから取り出され（extracted）、番組ガイド部ＥＰＧに送られる。この番組ガイド部ＥＰＧで番組ガイドメニュー表示ＤＩＳを構成するために使用される。番組ガイドメニュー表示は、例えば、放送番組のタイトルと、好ましくは放送時刻、時間（duration）、日付、チャンネル等を含む。ユーザは、番組ガイドメニュー表示に表示された番組を、ユーザインターフェイスＵＩを通じて選択することができる。選択情報は番組ガイド部ＥＰＧに送られる。この番組ガイド部ＥＰＧは、選択されたタイトルを用いて、録画すべき番組の放送時間、日付、及び／またはチャンネルの利用可能な選択肢を決定する。
【００２５】
本発明の一実施形態では、別の時間、日付、及び／またはチャンネルに関して決定された情報を番組ガイドメニュー表示に表示する。ユーザはマニュアルでこの番組ガイドメニュー表示から選択肢を選択することができる。一実施形態では、選択された情報は、録画時間、日付、及び／またはチャンネルを含む。この情報はタイマー部ＴＩＭに記憶され、タイマーが設定される。
【００２６】
別の実施形態では、別の時間、日付、及び／またはチャンネルに関して決定された情報は、タイマー部ＴＩＭに送られ、記憶される。タイマー部ＴＩＭは、事前にプログラムされた条件（好みのチャンネル等）に従って録画時間、日付、及び／またはチャンネルを自発的に、または一部自発的に選択する。タイマー部ＴＩＭは、指定された時刻、日付、及びチャンネルにおいて記録部ＲＥＣを制御し、またはその記録部ＲＥＣに通知し、録画を開始する。
【００２７】
一実施形態では、本発明は次のステップを含む。すなわち、録画のためユーザが選択した放送番組が別のチャンネル及び／または時間に再放送されるか自動的に検出するステップと、タイマーの録画日付、時間、及び／またはチャンネルをその再放送に切り換える方がよいか判断するステップと、を含む。これにより、録画が短くなるので、タイマーの使用及び／または利用可能な記憶スペースが改善される。
【００２８】
ユーザが電子番組ガイドを使用したり、タイマーに録画を設定したり、または単にユーザコマンドを受けた時、ユーザにより選択された番組の代替的放送時間／日付／チャンネルが常に検出される。この目的のため、リモコンにボタンまたはボタン機能を備えてもよい。そのボタン機能は、メニュースクリーンまたはＥＰＧスクリーンに表示された番組の代替番組があるか判断または表示するものである。
【００２９】
さらに、検出された代替放送時間／日付／チャンネルは記憶され、ユーザが見ることができてもよいし、できなくてもよい。例えば、ＥＰＧの番組リストまたはタイマーのリストは、別に代替番組がある番組の表示を含んでもよい。代替番組はリスト中に表示してもよい。これは図４に示されている。代替番組がある番組には表示ＩＮＤが表示されている。ユーザが番組を選択すると、または自動的に、図５に示したように、代替番組が表示される。
【００３０】
一実施形態では、所定の基準によりどの代替番組が有利であるか、自動的に検出する。１つの番組を有利であるとする基準や理由はいろいろあり、単独で、または他のものと組み合わせて考えることができる。
【００３１】
１つの基準としては、ユーザが選択した番組に２つの代替番組があり、番組の長さが一方は長く、他方は短いことが考えられる。これは、通常、コマーシャルによる中断が長いことを意味している。この場合、最も短い代替番組が自動的に検出され、有利であるとみなされる。例えば、ＲＴＬ１とＯＲＦ１は、ドイツやオーストリアでは一部の領域で両方を受信することができ、同一の番組を放送することが非常に多いが、ＲＴＬはコマーシャルを挿入するが、ＯＲＦ１はコマーシャルを挿入しない。このような場合、録画用にＯＲＦ１が好ましいとしてマークされるか、または自動的に選択される。こうすればコマーシャルを録画することを最小限に留め、記憶容量を節約することができる。
【００３２】
本発明は、例えば、予期せぬ番組変更があった場合にも有利である。本発明による装置は、ＥＰＧまたはテレテキストから、予定されている番組が急に番組変更されるかも知れないが、別のチャンネルでも放送されることを検出する。この目的のため、例えば、テレテキストページまたはＥＰＧを定期的に、または予約された録画時間の少し前に調べて（supervised）もよい。予定の番組がスキップされることを検出すると、代替番組を検索して表示する。結果として、ユーザは、視聴したいが別のチャンネル及び／または別の時間に予定外に放送される番組がシフトされ、後で再放送されるかどうかを容易に知ることができる。
【００３３】
本発明は、以下の場合にも有利に適用することができる。すなわち、ユーザは、番組を録画するためＤＶＤレコーダ中のタイマーを設定し、録画がすでに始まっている時、現在の番組を録画しつつ、別のＤＶＤを視聴したいと欲する場合である。しかし、ディスクドライブは記録可能ディスクを処理している。この場合、本発明の一態様によると、同じ番組が後で放送されるか検索して、録画を中断し、すでに作動しているタイマーは後の放送に合わせて修正する。同一番組が後で放送されるかの検索は、ユーザの要求に応じて、または録画を中断する前に、もしくは事前に実行する。代替番組が見つからなければ、録画の中断はブロックされる。
【００３４】
ユーザが選択した番組とは別の番組が好ましい理由として、送信信号品質が低いためにユーザが選択したチャンネルが好ましくないことがある。これはユーザが決めてもよいし、自動的に検出してもよい。例えば、あるケーブルチャンネルは、周波数が違いにより、同一のケーブルの別のチャンネルよりも障害が多い場合があるが、それは、周波数が低いレンジ（例えば、ＶＨＦ）は周波数が高いレンジ（例えば、ＵＨＦ）よりも障害が多いためである。信号品質は、例えば、スキャン動作中に自動的に測定でき、各チャンネルについてその信号品質の表示が記憶される。番組スケジュールを見ているユーザにこの問題のヒントを表示することができるし、代替番組を提案することもできる。好ましい代替番組が或る場合、録画用にタイマーメニューを操作している時に、タイマーを自動的に修正することもできる。さらに、ユーザは優先順位リストを手動的に（manually）決めてもよい。
【００３５】
時間及び／またはチャンネルのパラメータの範囲は、通常、入手可能な番組スケジュール情報により決定されるが、その範囲は所定の範囲またはユーザが決定した範囲に限定することもできる。例えば、ＥＰＧの分析はユーザ入力後の４・５日後の範囲でだけ許され、または、ユーザがＥＰＧから番組を直接選択して自動分析で放送の日付と時間を決定し、同一のチャンネルに限定するか、例えば＋／−４８時間の範囲に限定して、同一番組の代替放送を探す。録画タイマーの場合、ユーザは、タイマーのフレキシブル機能を完全にディスエーブルするが、他の機能はイネーブルのままである。
【００３６】
本発明の一態様では、ＥＰＧやテレテキスト等の番組スケジュールデータの分析には、ユーザが選択した番組及び代替的に放送される番組がシリーズものの同一エピソードであるかどうかの判断も含む。この判断は、例えば、タイトル、サブタイトル、または番組ガイドに含まれている概要の文字を比較することによる。
【００３７】
番組識別データは、通常、番組タイトル、番組開始時刻、番組チャンネルを含む。しかし、放送終了時刻、番組の長さ、ＶＰＳ等の追加表示、その他のデータであってもよい。ＥＰＧ中の番組にリンクしている識別子であってもよい。
【００３８】
以下にＤＶＤ記録のタイマー例を説明する。異なる番組情報（ＰＩ）をＥＰＧから読み出し、主記憶装置中のデータベースとして記憶する。各番組情報はラベルにより構成され、そのラベルは開始時刻、終了時刻、日付、チャンネル（例えば、番号またはチャンネル表示）、及び実際の番組タイトルを含む。番組タイトルの文字数は制限され、途中で切られていることが多い。しかし、番組の一意的な識別には十分な長さであると仮定する。
番組情報（ＰＩ）
ラベル（開始／終了／日付／番組名）      タイトル（途中で切られている）
ユーザが録画のためＥＰＧ中の１つの番組を選択したとき、それぞれの番組情報ＰＩが特別な選択メモリＰＩ１に記憶される。
【００３９】
次に、完全なデータベースを分析し、全ての利用可能タイトルを選択メモリＰＩ１に記憶された番組情報ＰＩのタイトルと比較する。一致したとき、図２に示したように、新しい番組情報ＰＩ２を表示メニュー内に表示する。ここで、ユーザは、メニューを用いて、録画すべき番組を選択し、マークすることができる。図２に示した例では、ユーザは番組情報ＰＩ１のチャンネルＲＴＬとＰＩ２のＯＲＦの間で選択することができる。メニューから分かるように、「パールハーバー」というタイトルの番具がＲＴＬで２０時１５分から２２時４５分まで、同日にＯＲＦ１で２０時１５分から２２時１５分まで放送される。よって、タイマーは、２つのうちより短いものであり、この場合コマーシャルによる中断がない方を、他の基準によりこの選択が妨げられない限り、選択する。そのような基準としては、例えば、ＯＲＦ１の受信品質がよくないことである。この基準はユーザがプログラムしたパラメータであるか、自動的に検出されたものである。
【００４０】
有利な点として、本発明により、同じ時間または違う時間に違う放送事業者により放送された同じ番組を自動的に検出し選択することができるようになる。
【００４１】
本発明によれば、受信した放送データから放送Ａ／Ｖ番組を識別するデータを自動的に取り出す装置は、第１の番組を画成するユーザ入力を受け取る手段（例えば、ユーザインターフェイス）と、第１の番組により電子番組スケジュールを分析する手段と、少なくとも第１の番組の番組名、放送開始時刻、終了時刻、長さ、または放送チャンネルを判断する手段と、第１の番組に対応する（例えば、前記ユーザ入力により画成されたのと同じ番組識別子を有するが、放送開始時刻、終了時刻、長さ、または放送チャンネルが異なる）第２の番組が放送される予定であるか自動的に検出する手段と、少なくとも第１の番組の番組名、放送チャンネル、開始時刻、終了時刻、または長さと、及び第２の番組が検出されたことを示す表示とを表示する手段と、を含む。
【００４２】
さらに、本発明の一実施形態による装置は、第１の番組または第２の番組を選択する第２のユーザ入力を受け取る手段と、さらに処理するため選択された第１の番組または第２の番組に対応するデータを選択する手段と、を含む。
【００４３】
さらに、本発明の一実施形態による装置は、選択されたデータにより第１の番組または第２の番組のチャンネルにチューナを設定する手段を含む。他の実施形態では、本装置は、チューナで選択した番組の少なくとも放送開始時刻、終了時刻または長さ、及びチャンネルと、もしくは録画のためにタイマーを設定または駆動する手段と、をさらに含む。
【００４４】
本発明は、好ましくは異なるチャンネルを参照する電子番組スケジュール、電子番組ガイド、またはテレテキストページ等の番組データにアクセスする、放送テレビジョンレシーバ、ＤＶＤ及び／またはＨＤＤレコーダ等に使用することができる。
【図面の簡単な説明】
【００４５】
【図１】本発明による装置の構成を示す図である。
【図２】番組の長さが異なる場合に、２つの番組を選択肢として有するタイマーメニュー例を示す図である。
【図３】同一番組が後で再放送される場合に、２つの番組を選択肢として有するタイマーメニュー例を示す図である。
【図４】別の番組事例（instance）を検出したことを示すＥＰＧメニュー例を示す図である。
【図５】別の番組事例（instance）をリストしたＥＰＧメニュー例を示す図である。
【符号の説明】
【００４６】
ＲＸ    受信部
ＤＩＳ  番組ガイドメニュー表示
ＥＰＧ  電子番組ガイド
ＵＩ    ユーザインターフェイス部
ＴＩＭ  タイマー部
ＲＥＣ  記録部
【図１】
0005122772.tif 000002
【図２】
0005122772.tif 000003
【図３】
0005122772.tif 000004
【図４】
0005122772.tif 000005
【図５】
0005122772.tif 000006